(57)【要約】【課題】  出力画像のカラーバランスの劣化を極力抑制可能で、安定な画像読取装置を提供する。【解決手段】  発光波長領域を異にする複数の発光手段と該発光手段からの光を受光する受光手段とを有するイメージセンサで走査画像を読取り、画像データを得る画像読取装置であって、前記イメージセンサを制御する読取制御手段を有し、該読取制御手段が、１走査において受光手段が受光する各発光波長領域の受光量の分布の、それぞれの積算の中心点が重なる様に、１走査での、複数の発光手段の発光及び／又は受光手段の動作を制御する画像読取装置。【選択図】        図２
2005252651.tif 000002
【特許請求の範囲】
【請求項１】
発光波長領域を異にする複数の発光手段と該発光手段からの光を受光する受光手段とを有するイメージセンサで走査画像を読取り、画像データを得る画像読取装置であって、
前記イメージセンサを制御する読取制御手段を有し、
該読取制御手段が、
１走査において受光手段が受光する各発光波長領域の受光量の分布の、それぞれの積算の中心点が重なる様に、１走査での、複数の発光手段の発光及び／又は受光手段の動作を制御することを特徴とする画像読取装置。
【請求項２】
発光波長領域を異にする複数の発光手段と該発光手段からの光を受光する受光手段とを有するイメージセンサで走査画像を読取り、画像データを得る画像読取装置であって、
前記イメージセンサを制御する読取制御手段を有し、
該読取制御手段が、前記複数の発光手段のそれぞれの発光の開始及び終了を独立に制御することを特徴とする画像読取装置。
【請求項３】
前記複数の発光手段の発光出力を同一にし、１走査におけるそれぞれの発光時間の中心を一致させることを特徴とする請求項１又は２に記載の画像読取装置。
【請求項４】
前記発光時間の中心を１走査時間の中心と一致させることを特徴とする請求項３に記載の画像読取装置。
【請求項５】
前記読取制御手段が、前記複数の発光手段の発光開始と終了を同一にして、それぞれの発光出力を調整するように制御することを特徴とする請求項１又は２に記載の画像読取装置。
【請求項６】
前記複数の発光手段の発光時間を１走査時間とすることを特徴とする請求項５に記載の画像読取装置。
【請求項７】
前記読取制御手段が、前記複数の発光手段のそれぞれの発光を、１走査に亘る複数の均等なパルス状とし、１走査におけるそれぞれの出力パルスの積算値が各発光波長領域での必要な発光量となるように制御することを特徴とする請求項１又は２に記載の画像読取装置。
【請求項８】
前記読取制御手段が、１走査で必要な発光量とするための発光時間が最長である発光波長領域の発光時間で、他の発光波長領域の発光手段のそれぞれの１走査で必要な発光量とするための発光を均等なパルス状とするように制御することを特徴とする請求項１又は２に記載の画像読取装置。
【請求項９】
前記読取り制御手段が、前記複数の発光手段の発光波長領域に対応する受光手段の動作の開始と終了を該当する発光手段の発光の開始と終了に対応させる様に制御することを特徴とする請求項１又は２に記載の画像読取装置。
【発明の詳細な説明】
【技術分野】
【０００１】
本発明は、画像読取装置に関する。
【背景技術】
【０００２】
近年、写真のフィルムやプリントに記録された画像（以下、併せて写真画像とも言う）をイメージセンサにより読み取り、画像データを得る画像読取装置が知られている。この様な画像読取装置として例えばフィルムスキャナでは、画像が形成された現像済写真フィルムを搬送しながら、当該フィルムに発光手段により光を照射し、その透過光をＣＣＤ（Ｃｈａｒｇｅ  Ｃｏｕｐｌｅｄ  Ｄｅｖｉｃｅ）ラインセンサ等の受光手段により光電的に読み取り、読み取った画像データをＡＤ変換することでデジタル画像データを得ている。また写真プリントから画像データを得るスキャナは、プリントからの反射光を受光手段で受光し、同様にしてデジタル画像データを得るものである。
【０００３】
従来の画像読取装置で、写真画像に光を照射する発光手段の光源としては、一般にハロゲンランプが用いられている。しかしながら、ハロゲンランプを光源とする場合、色毎の発光量を制御することが不可能であることから、読み取った画像データから得られる画像のカラーバランスが、以下に述べる理由で劣化するという問題が有る。
【０００４】
図５はネガフィルムのベース透過光量の１例を色毎に示す図である。
【０００５】
図５に示す様に、ネガフィルムのベース透過光量（画像によらず、支持体や下引き層、フィルター層などのみによる、即ち非画像領域の透過光量）は、光源の波長領域、即ち色（ここではＲ（赤色）、Ｇ（緑色）、Ｂ（青色））によって異なることから、受光手段でのＲ、Ｇ、Ｂの受光量のベース光量が不揃いとなってしまい、これによりカラーバランスが劣化する。プリント用写真印画紙の色毎の反射率についても同様のことが言える。
【０００６】
この問題の解決策として、画像読取装置の発光手段の光源としてＬＥＤ（Ｌｉｇｈｔ  Ｅｍｉｔｔｉｎｇ  Ｄｉｏｄｅ）を採用し、ＬＥＤの色毎の発光量や光量分布を制御することで、読取画像の画質の向上を図る技術が提案されている（例えば、特許文献１参照）。
【特許文献１】特開２００３−２３３１４２号公報
【発明の開示】
【発明が解決しようとする課題】
【０００７】
上記特許文献１の技術におけるＬＥＤの発光は、各色同時に発光開始となり、各色の所定の光量に応じて発光を終了（各色終了時点が異なる）方法がとられている。
【０００８】
以下、当該方法の一例について図３（ｃ）で説明する。
【０００９】
図３は、グラデーションスケールの濃度分布をモデル的に示し、当該濃度分布と１ライン走査中の各色のＬＥＤの発光タイミングを対比して示す図である。
【００１０】
図３において、（ａ）はグラデーションスケールであり、（ｂ）はそれに対応する、ハイライトからシャドーに至る濃度のグラフをモデル的に示している。
【００１１】
図３（ｃ）は、１走査時間（１走査線の幅ｄに相当）の間に、各色（Ｂ、Ｇ、Ｒ、ＩＲ（赤外光））の発光源であるＬＥＤが発光している時間と発光開始、終了のタイミングの従来例を示している。ただし、各色の出力レベルはＥで一定とする。この様に各ＬＥＤの発光は、各色同時に始まり、各色の所定の光量に応じて終了する。
【００１２】
ところが、図３（ａ）及び（ｂ）に示す様に、１単位のグラデーションスケールに於いても濃度の分布が有り、図３（ｃ）に示す様に発光素子による発光のタイミングと時間でカバーできる濃度分布に色毎で差が生ずる。一方受光素子では受光量の分布に対応した濃度分布の積算の中心点を濃度として検出しているため、同じグラデーションスケールであっても色毎の濃度分布の積算の中心点がズレてしまい（つまり濃度の検出値がズレてしまい）、得られたデータで画像を出力すると画像のカラーバランスが劣化する不具合が発生する。
【００１３】
本発明は、出力画像のカラーバランスの劣化を極力抑制可能で、安定な画像読取装置を提供することを目的とする。
【課題を解決するための手段】
【００１４】
上記目的は、下記の手段によって達成される。
【００１５】
（１）  発光波長領域を異にする複数の発光手段と該発光手段からの光を受光する受光手段とを有するイメージセンサで走査画像を読取り、画像データを得る画像読取装置であって、
前記イメージセンサを制御する読取制御手段を有し、
該読取制御手段が、
１走査において受光手段が受光する各発光波長領域の受光量の分布の、それぞれの積算の中心点が重なる様に、１走査での、複数の発光手段の発光及び／又は受光手段の動作を制御する画像読取装置。
【００１６】
（２）  発光波長領域を異にする複数の発光手段と該発光手段からの光を受光する受光手段とを有するイメージセンサで走査画像を読取り、画像データを得る画像読取装置であって、
前記イメージセンサを制御する読取制御手段を有し、
該読取制御手段が、前記複数の発光手段のそれぞれの発光の開始及び終了を独立に制御する画像読取装置。
【００１７】
（３）  前記複数の発光手段の発光出力を同一にし、１走査におけるそれぞれの発光時間の中心を一致させる（１）又は（２）の画像読取装置。
【００１８】
（４）  前記発光時間の中心を１走査時間の中心と一致させる（３）の画像読取装置。
【００１９】
（５）  前記読取制御手段が、前記複数の発光手段の発光開始と終了を同一にして、それぞれの発光出力を調整するように制御する（１）又は（２）の画像読取装置。
【００２０】
（６）  前記複数の発光手段の発光時間を１走査時間とする（５）の画像読取装置。
【００２１】
（７）  前記読取制御手段が、前記複数の発光手段のそれぞれの発光を、１走査に亘る複数の均等なパルス状とし、１走査におけるそれぞれの出力パルスの積算値が各発光波長領域での必要な発光量となるように制御する（１）又は（２）の画像読取装置。
【００２２】
（８）  前記読取制御手段が、１走査で必要な発光量とするための発光時間が最長である発光波長領域の発光時間で、他の発光波長領域の発光手段のそれぞれの１走査で必要な発光量とするための発光を均等なパルス状とするように制御する（１）又は（２）の画像読取装置。
【００２３】
（９）  前記読取り制御手段が、前記複数の発光手段の発光波長領域に対応する受光手段の動作の開始と終了を該当する発光手段の発光の開始と終了に対応させる様に制御する（１）又は（２）の画像読取装置。
【発明の効果】
【００２４】
本発明の如くイメージセンサの発光手段の発光又は受光手段の動作を制御することにより、１走査において受光手段が受光する各発光波長領域の受光量の分布の、それぞれの積算の中心点が重なるので、読取画像の濃度の検出値のズレを防止でき、従って出力画像のカラーバランスの劣化が無い、安定な画像読取装置を提供することができる。
【００２５】
また本発明の画像読取装置は、イメージセンサの複数の発光手段のそれぞれの発光の開始及び終了を独立に制御するので、イメージセンサの動作の制御を任意に行うことができ、従って読取画像の濃度の検出値のズレを防止でき、出力画像のカラーバランスの劣化が無い。
【発明を実施するための最良の形態】
【００２６】
本発明は、画像読取装置のイメージセンサで、１走査において受光手段が受光する各発光波長領域の受光量の分布の、それぞれの積算の中心点が重なる様に、１走査での、複数の発光手段の発光及び／又は受光手段の動作を制御することを特徴とする。
【００２７】
また、画像読取装置のイメージセンサで、複数の発光手段のそれぞれの発光の開始及び終了を独立に制御することをもう一つの特徴とする。
【００２８】
用いる発光手段としては読取画像の各画素に相当する部分で独立して発光制御が可能なアレイ光源が好ましく、例えば、各画素ごとに独立して発光制御可能な複数の発光素子（ＬＥＤ、ＥＬ、ＬＤなど）からなる発光素子列の他に、画素に相当する部分で独立して制御可能なシャッタ手段と単一の発光手段とを組み合わせた発光手段（ＰＬＺＴなど）を用いることが可能である。受光手段としては、ライン状の固体撮像素子であることが好ましく、ＣＣＤ、フォトダイオードＰＤ、フォトトランジスタＰＴｒ等が使用される。
【００２９】
以下、実施の形態として本発明の画像読取装置をフィルムスキャナを例にとって図面に基づいて説明する。
【００３０】
なお、本発明の実施の形態における説明では、本明細書に用いる用語や断定的な記載により発明の技術範囲が限定されることはない。
【００３１】
図１は、本発明の画像読取装置の構成の１例を示す概略図である。
【００３２】
図１において、１は画像読取装置である。Ｒ１は読取部で、ラインセンサであるＣＣＤ１０Ａ（Ｂ、Ｇ、Ｒに対応）及びＣＣＤ１０Ｂ（ＩＲ（赤外）に対応）からなるＣＣＤ１０、ズームレンズＬ１、ハーフミラーＭ１等で構成され、Ｒ２は光源部で、一方向に光を導くロッドレンズＬ２、集光レンズＬ３、ハーフミラーＭ２、ＬＥＤ光源７１（Ｂ発光）、ＬＥＤ光源７２（Ｒ、Ｇ、ＩＲ発光）等で構成されている。Ｂ１は読取制御手段で、ＬＥＤ光源７１、７２の発光開始、終了のタイミングあるいは出力レベル（発光光量）の調整等を行うＬＥＤ制御部６０と、ＬＥＤ光源の各色に対応するＣＣＤ１０の動作の開始と終了を調整するＣＣＤ制御部８０を含んでいる（図２参照）。Ｆは読取る対象物であるネガフィルムで、キャリアＣに載置され、矢印Ｘ方向にロッドレンズＬ２からの光を透過しながら走行する。
【００３３】
次に、画像読取りプロセスについて説明する。
【００３４】
ＬＥＤ光源７１、７２から発光された光は、ハーフミラーＭ２を経由して、集光レンズＬ３、ロッドレンズＬ２を通り、フィルムＦを透過する。当該フィルムＦの画像濃度に応じて光量が変化した光（Ｒ、Ｇ、Ｂ）はズームレンズＬ１を介して、各光はハーフミラーＭ１を通過してＣＣＤ１０Ａに入力する。一方、赤外光（ＩＲ）はハーフミラーＭ１で反射してＣＣＤ１０Ｂに入力する。
【００３５】
ここで、赤外光を光源に加えた理由は、フィルムＦに塵、埃等が付着している場合、赤外光ＩＲは透過せず、塵、埃を画像として検知しないようにするためである。ここでは、その詳細の説明は省略する。
【００３６】
ＣＣＤ１０Ａ、１０Ｂに入力した光は制御部Ｂ１に伝達され、当該制御部Ｂ１に含まれるＬＥＤ制御部６０（図２参照）で発光タイミングまたは出力レベル等が制御される。なお、当該制御の詳細については後述する。
【００３７】
図２は、本発明に係るイメージセンサの内部構成を示すブロック図である。
【００３８】
図２に示すブロック図で説明すると、画像読取装置１のイメージセンサは、ＣＣＤ１０Ａ、１０ＢからなるＣＣＤ１０、画像信号処理部２０、ＣＰＵ（Ｃｅｎｔｒａｌ  Ｐｒｏｃｅｓｓｉｎｇ  Ｕｎｉｔ）３０、ＲＡＭ４０、ＲＯＭ５０、青色ＬＥＤドライバ６ｂ、赤外ＬＥＤドライバ６ｉｒ、赤色ＬＥＤドライバ６ｒ、緑色ＬＥＤドライバ６ｇ、ＬＥＤ光源７１、７２、及びＣＣＤ制御部８０により構成される。なお、前記画像信号処理部２０、ＣＰＵ３０、ＲＡＭ４０、ＲＯＭ５０、ＬＥＤ制御部６０及びＣＣＤ制御部８０は、読取制御手段Ｂ１に含まれている。
【００３９】
ＣＣＤ１０は、数千個の受光素子を画素に対応して一列に配置したラインセンサであり、ネガフィルムＦ（図１参照）を通過し、セルフォックレンズ（図示せず）によりラインセンサ上に集光した光信号を電気信号（アナログ信号）に変換する。このアナログ信号は、図示しないＡ／Ｄ変換器によりデジタル信号に変換され、画像信号処理部２０に出力される。また、ＣＣＤ１０は、ＣＣＤ制御部８０から入力される蓄積時間制御信号に従って、蓄積時間を変更する。
【００４０】
画像信号処理部２０は、上記Ａ／Ｄ変換器から入力されたデジタル画像信号に、カラーバランス調整やシェーディング補正等の各種信号処理を施し、各信号処理結果をＣＰＵ３０に出力する。
【００４１】
画像信号処理部２０は、読取対象であるネガフィルムＦのベース濃度を検知し、当該ネガフィルムＦの各色の透過光量が等しくなるように各色（Ｂ、Ｇ、Ｒ、ＩＲ）の光量値を算出する。図４は各ＬＥＤの出力レベルを示す図であるが、例えば、ネガフィルムＦのベース透過光量の出力レベル（ベース濃度）が、図４（ａ）に示すように、色（Ｂ、Ｇ、Ｒ）毎に異なっている場合、画像信号処理部２０は、図４（ｂ）に示したように、各色の透過光量が等しくなるようにＬＥＤ制御部６０を介して光量を調整する。上記透過光量が極端に小さいと、ＣＣＤ１０の受光素子の特性からノイズが目立つ画像が形成されることから、図４で示した例では、光の青色成分（Ｂ）、緑色成分（Ｇ）の光量を強めて各色の光量が等しくなるように各色の光量値が算出される。
【００４２】
ＣＰＵ３０は、ＲＯＭ５０に格納された画像読取装置用の制御プログラムに従って、各種の制御動作を実行する。
【００４３】
具体的には、ＣＰＵ３０は、画像信号処理部２０から入力された各色の光量値データに基づいて、制御手段であるＬＥＤ制御部６０で各色のＬＥＤ光源の発光光量を調整し、この光量調整データに従ってＬＥＤ光源の発光光量を色別に制御するためのドライバ駆動信号を各色のＬＥＤドライバ６ｂ（Ｂ）、６ｉｒ（ＩＲ）、６ｒ（Ｒ）、６ｇ（Ｒ）に出力する。
【００４４】
また、ＣＰＵ３０は、画像信号処理部２０から入力された、ラインセンサであるＣＣＤ１０上での光量補正値データに基づいて、ＬＥＤ光源７１及び７２の主走査方向に分割されたブロック別に発光光量を調整し、この光量調整データに従ってＬＥＤ光源７１、及び７２のブロック別に発光光量を制御するＬＥＤ制御部６０からドライバ駆動信号を、ＬＥＤドライバ６ｂ、６ｉｒ、６ｒ、６ｇに出力する。なお、上述の主走査方向と、ＣＣＤ１０のラインセンサが配置された方向は同一である。
【００４５】
このドライバ駆動信号が示す情報には、ＬＥＤ７１、７２の各ブロックが発光すべき光量値に加えて、光量の制御方法が指定される。光量の制御方法としては、光源に供給する電流を変化させることにより光量を制御する電流制御と、ＬＥＤ光源の点滅動作の点滅時間を変化させることにより光量を制御するＰＷＭ（Ｐｕｌｓｅ  Ｗｉｄｔｈ  Ｍｏｄｕｌａｔｉｏｎ）制御を用いる。
【００４６】
電流制御では、ＬＥＤ７１、７２に供給する電流の大小により、光量を増減させる。
【００４７】
図６は、ＣＣＤの蓄積時間とＬＥＤの発光の関係を示す図である。
【００４８】
ＰＷＭ制御は、図６（ａ）に示すように、ＣＣＤ１０の蓄積時間を１周期としたパルス幅変調による制御であり、パルスの高さが光量のレベルを表し、Ｈ期間がＬＥＤ光源の発光（点灯）時間、Ｌ期間が消灯時間を表している。このＰＷＭ制御においては、デューティ（（点灯時間／蓄積時間）×１００）の値に応じて、ＬＥＤの発光光量を変化させる。即ち、１蓄積時間での点灯時間を変化させることで、ＬＥＤの発光光量を調整する。ＰＷＭ制御においては、このデューティとＣＣＤ１０からの出力レベルはリニアな関係にある。
【００４９】
また、ＣＰＵ３０は、ＣＣＤ制御部８０に蓄積時間制御信号を出力して、ＣＣＤ１０の蓄積時間を変更することにより、ＣＣＤ１０から出力される光量レベルを調整する。例えば、デューティを１００％にしても、画像信号処理部２０により算出された光量値に満たないときは、図６（ｂ）に示すように、ＣＣＤ１０の蓄積時間を長くして、ＣＣＤ１０の出力レベルを大きくすることができる。なお、光量の制御方法として、電流制御かＰＷＭ制御の何れか一方を用いてもよいし、両制御を併用することも可能である。
【００５０】
なお、本実施の形態の図３（ｄ）においては、ＰＷＭ制御が適用され、図７においては、電流制御が適用されている。
【００５１】
図２において、ＲＡＭ（Ｒａｎｄｏｍ  Ａｃｃｅｓｓ  Ｍｅｍｏｒｙ）４０は、ＣＰＵ３０が上記各種制御処理プログラムを実行する際に、この制御プログラムをＲＡＭ４０内の図示しないプログラム格納領域に展開するとともに、ＣＰＵ３０が上記各種処理プログラムを実行する際に生じるデータ等を、図示しないデータ格納領域に一時的に格納する。
【００５２】
ＲＯＭ（Ｒｅａｄ  Ｏｎｌｙ  Ｍｅｍｏｒｙ）５０は、ＣＰＵ３０によって実行される各種制御プログラムや、各種動作に使用するデータ等を予め格納している。
【００５３】
ＬＥＤ制御部６０は、青色のＬＥＤドライバ６ｂを介して、ＣＰＵ３０から入力されるドライバ駆動信号に従って、図２に示すように、ＬＥＤ７１（青色光源）領域内で主走査方向に分割されたブロック毎に独立に発光光量を制御する。
【００５４】
同様に、ＬＥＤ制御部６０は、赤外のＬＥＤドライバ６ｉｒ、赤色ＬＥＤドライバ６ｒ、緑色ＬＥＤ制御部ドライバ６ｇを介して、ＣＰＵ３０から入力されるドライバ入力信号に従って、ＬＥＤ７２の赤外線（ＩＲ）、赤色、緑色領域内で主走査方向に分割されたブロック毎に独立に発光光量を制御する。
【００５５】
ＬＥＤ７１は、図２に示すように、ＬＥＤ基板に青色ＬＥＤ（Ｂ）の発光素子が縦横にハニカム状に配列され、主走査方向にブロック分割されている。各発光素子は、青色ＬＥＤドライバ６ｂの駆動によりブロック毎に制御される。
【００５６】
ＬＥＤ光源７２は、図２に示すように、一つのＬＥＤ基板に、緑色ＬＥＤ（Ｇ）、赤色ＬＥＤ（Ｒ）、及び赤外線ＬＥＤ（ＩＲ）の発光素子が、主走査方向に渡って配列され、ＬＥＤ光源７１と同様に、主走査方向にブロック分割されている。赤外線ＬＥＤ、赤色ＬＥＤ、緑色ＬＥＤの各発光素子は、それぞれ、赤外ＬＥＤドライバ６ｉｒ、赤色ＬＥＤドライバ６ｒ、緑色ＬＥＤドライバ６ｇの駆動により、ブロック毎に制御される。
【００５７】
ＣＣＤ制御部８０は、ＣＰＵ３０から入力される蓄積時間制御信号に従って、ＣＣＤ１０の蓄積時間を制御する。又はＣＰＵ３０から入力されるＬＥＤ制御信号に対応したＣＣＤ動作制御信号に従って、Ｒ、Ｇ、Ｂ、ＩＲに対応したＣＣＤの動作（蓄積時間）の開始と終了を制御する。なおＣＣＤの動作の制御を行わず、ＬＥＤの発光の制御のみでも、ＬＥＤの発光の制御を行わず、ＣＣＤの動作の制御だけでも、両者を組み合わせて行っても良い。
【００５８】
図９にＣＣＤの動作制御を行う場合の構成をブロック図で示す。制御のフローについては前出のＬＥＤ発光制御に準ずる。
【００５９】
以上の装置構成にて、本発明のいくつかの実施形態について説明する。
【００６０】
第１の実施形態は、前記読取制御手段Ｂ１が各色ＬＥＤの発光の開始及び終了を独立に制御し、図３（ｄ）に示すように、各色の発光出力レベルはＥで同一にして、各々の発光時間の中心を一致させるように制御するもので、該発光時間の中心を１走査時間の中心と一致させても、そうでなくても良い。この実施形態によると、１走査線ｄ内での各ＬＥＤの発光時間中心が同じタイミングとなり（図３（ｄ）において、ｔ１＝ｔ２またはｔ１≠ｔ２）、これにより１走査において受光手段が受光する各色の受光量の分布の、それぞれの積算の中心点が重なるため、読取画像の濃度の検出値の色毎のズレを防止でき、従って出力画像のカラーバランスの劣化を抑制することができる。
【００６１】
図７は、１走査線範囲内で各色の発光時間を同一にする場合を示す図である。
【００６２】
第２の実施形態は、前記読取制御手段Ｂ１が、図７に示したように、各ＬＥＤの発光開始と終了の時点を同一（１走査線ｄ間での走査時間を同一）にして、ネガフィルムＦのベース濃度に応じて、ＬＥＤの発光出力のレベルを制御するもので、ＬＥＤ光源の点灯時間は１走査時間と同じでも、そうでなくても良い。この方法によると、ＣＣＤ１０が読み込む各色の出力時間が同一となるため、読取画像の濃度の検出値の色毎のズレは回避でき、各ＬＥＤの出力レベルＥ１〜Ｅ２を調整するだけで出力画像のカラーバランスを保つことができる。
【００６３】
図８は、１走査線範囲内で、各色複数のパルスとして発光する場合を示す図である。
【００６４】
第３の実施形態は、前記読取制御手段Ｂ１が、図８に示すように、１走査線範囲内で、各色複数の均等なパルスとして発光させ、且つ１走査におけるそれぞれの出力パルスの積算値が各発光波長領域での必要な発光量となるように制御するものである。
【００６５】
図８の様に、１走査線領域ｄを左右に分け、左のパルス面積と右のパルス面積が等しくなる線をパルスの積算値の中心時点とし、この中心時点を各ＬＥＤの発光において、一致するようにしても良いし、そうでなくても良い。また各色のＬＥＤの発光出力のレベルＥは同一であっても、異なっても良い。
【００６６】
また、１走査で必要な発光量とするための発光時間が最長である色のＬＥＤの発光時間で、他の色のＬＥＤのそれぞれの１走査で必要な発光量とするための発光を均等なパルス状とするように制御しても良い。中心時点を各ＬＥＤの発光において、一致するようにしても良いし、そうでなくても良いことと、各色のＬＥＤの発光出力のレベルＥは同一であっても、異なっても良いことは同様である。
【００６７】
この方法によると、１走査線領域内または、１走査で必要な発光量とするための発光時間が最長である色のＬＥＤの発光時間で、光量が均等に分散されるので、１走査において受光手段が受光する各色の受光量の分布の、それぞれの積算の中心点が重なるため、読取画像の濃度の検出値の色毎のズレを防止でき、従って出力画像のカラーバランスの劣化を抑制することができる。
【００６８】
第４の実施形態は、前記読取り制御手段Ｂ１が、各色ＬＥＤに対応するＣＣＤの動作の開始と終了を該当するＬＥＤの発光の開始と終了に対応させる（つまりＣＣＤの蓄積時間そのものやその開始をＬＥＤの発光に合わせて任意に設定する）様に制御するものであり、前述した。
【００６９】
以上の如く、ＬＥＤの発光又はＣＣＤの動作を制御することにより、１走査においてＣＣＤが受光する各色の受光量の分布の、それぞれの積算の中心点が重なるので、読取画像の濃度の検出値のズレを防止でき、従って出力画像のカラーバランスの劣化が無い、安定な画像読取装置とすることができる。
【００７０】
また画像読取装置を、イメージセンサの複数の発光手段のそれぞれの発光の開始及び終了を独立に制御する様に構成することで、イメージセンサの動作の制御を任意に行うことができ、従って読取画像の濃度の検出値のズレを防止でき、出力画像のカラーバランスの劣化が無い、安定な画像読取装置とすることができるのは言うまでもない。
【００７１】
以上は、透過光を検出する場合での説明であるが、反射光を検出する場合も同様である。又、発光手段と受光手段の組合せもＬＥＤとＣＣＤに限定されない。
【図面の簡単な説明】
【００７２】
【図１】本発明の画像読取装置の構成の１例を示す概略図である。
【図２】本発明に係るイメージセンサの内部構成を示すブロック図である。
【図３】グラデーションスケールの濃度分布をモデル的に示し、当該濃度分布と１ライン走査中の各色のＬＥＤの発光タイミングを対比して示す図である。
【図４】各ＬＥＤの出力レベルを示す図である。
【図５】ネガフィルムのベース透過光量の１例を色毎示す図である。
【図６】ＣＣＤの蓄積時間とＬＥＤの発光の関係を示す図である。
【図７】１走査線範囲内で各色の発光時間を同一にする場合を示す図である。
【図８】１走査線範囲内で、各色複数のパルスとして発光させる場合を示す図である。
【図９】ＣＣＤの動作制御を行う場合の構成を示すブロック図である。
【符号の説明】
【００７３】
１  画像読取装置
１０  ＣＣＤ
２０  画像信号処理部
３０  ＣＰＵ
６０  ＬＥＤ制御部
７１、７２  ＬＥＤ光源
８０  ＣＣＤ制御部
Ｂ１  制御部
Ｒ１  読取部
Ｒ２  光源部
Ｆ  ネガフィルム
【図１】
2005252651.tif 000003
【図２】
2005252651.tif 000004
【図３】
2005252651.tif 000005
【図４】
2005252651.tif 000006
【図５】
2005252651.tif 000007
【図６】
2005252651.tif 000008
【図７】
2005252651.tif 000009
【図８】
2005252651.tif 000010
【図９】
2005252651.tif 000011